(57)【特許請求の範囲】
【請求項１】
二次元状に配列された複数の放射線検出素子と、
外部コネクターと接続可能なコネクターと、
を備える放射線画像撮影装置であって、
前記放射線画像撮影装置の電源のオン／オフを制御可能な制御手段と、
前記放射線画像撮影装置が撮影に用いられる撮影環境を検知する検知手段と、を備え、
前記制御手段は、
前記放射線画像撮影装置の前記コネクターが前記外部コネクターと接続された際、前記放射線画像撮影装置の電源がオンの状態である場合には、前記放射線画像撮影装置の電源をオフするように制御し、前記放射線画像撮影装置の前記コネクターと前記外部コネクターとの接続が解除された際、前記放射線画像撮影装置の電源がオフの状態である場合には、前記放射線画像撮影装置の電源をオンするように制御し、前記放射線画像撮影装置の前記コネクターと前記外部コネクターとの接続が解除された際、前記放射線画像撮影装置の電源がオンの状態である場合には、前記放射線画像撮影装置の電源がオンの状態を維持するように制御するように前記放射線画像撮影装置の電源のオン／オフ制御を行う第１のオン／オフ制御と、
前記第１のオン／オフ制御とは異なる第２のオン／オフ制御と、
の間で前記放射線画像撮影装置の電源のオン／オフ制御の仕方を切り替えることが可能とされており、
前記検知手段が検知した前記撮影環境がポータブルの放射線発生装置を用いて撮影が行われる撮影環境である場合には、前記第１のオン／オフ制御に従って前記放射線画像撮影装置の電源のオン／オフを制御し、
前記検知手段が検知した前記撮影環境が撮影室で撮影が行われる撮影環境である場合には、前記第２のオン／オフ制御に従って前記放射線画像撮影装置の電源のオン／オフを制御することを特徴とする放射線画像撮影装置。
【請求項２】
前記外部コネクターは、回診車に搭載された充電装置のコネクター、またはクレードルのコネクターであることを特徴とする請求項１に記載の放射線画像撮影装置。
【請求項３】
前記制御手段は、前記検知手段が検知した前記撮影環境が撮影室で撮影が行われる撮影環境である場合には、前記第２のオン／オフ制御として、前記放射線画像撮影装置に接続されている外部機器の電源のオン／オフに連動して、前記放射線画像撮影装置の電源のオン／オフを制御することを特徴とする請求項１または請求項２に記載の放射線画像撮影装置。
【請求項４】
外部から識別情報を取得する取得手段を備え、
前記検知手段は、前記取得手段が取得した識別情報に基づいて、前記撮影環境を検知する請求項１から請求項３のいずれか一項に記載の放射線画像撮影装置。
【請求項５】
前記検知手段は、前記取得手段が取得した、前記外部コネクターに取り付けられているケーブルのＩＤ又は前記ケーブルを介して電気的に接続されている外部機器のＩＤに基づいて前記撮影環境を判断する請求項４に記載の放射線画像撮影装置。
【請求項６】
前記検知手段は、前記取得手段が取得した、当該放射線画像撮影装置と電気的に接続されているコンソールのＩＤに基づいて前記撮影環境を判断する請求項４に記載の放射線画像撮影装置。
【請求項７】
前記検知手段は、前記取得手段が取得した、無線通信で使用するアクセスポイントのＩＤに基づいて前記撮影環境を判断する請求項４に記載の放射線画像撮影装置。
【請求項８】
前記取得手段は、前記識別情報を、前記外部コネクターに取り付けられているケーブル又は前記ケーブルを介して電気的に接続されている外部機器から有線で取得する請求項４に記載の放射線画像撮影装置。
【請求項９】
前記取得手段は、前記識別情報を、外部機器から無線で取得する請求項４に記載の放射線画像撮影装置。
【請求項１０】
前記取得手段は、前記識別情報を、無線通信で使用するアクセスポイントから無線で取得する請求項９に記載の放射線画像撮影装置。
【請求項１１】
二次元状に配列された複数の放射線検出素子と、外部コネクターと接続可能なコネクターとを備える放射線画像撮影装置と、
前記放射線画像撮影装置が撮影に用いられる撮影環境を検知可能なコンソールと、
を備え、
前記放射線画像撮影装置は、
前記放射線画像撮影装置の前記コネクターが前記外部コネクターと接続された際、前記放射線画像撮影装置の電源がオンの状態である場合には前記放射線画像撮影装置の電源をオフするように制御し、前記放射線画像撮影装置の前記コネクターと前記外部コネクターとの接続が解除された際、前記放射線画像撮影装置の電源がオフの状態である場合には前記放射線画像撮影装置の電源をオンするように制御し、前記放射線画像撮影装置の前記コネクターと前記外部コネクターとの接続が解除された際、前記放射線画像撮影装置の電源がオンの状態である場合には、前記放射線画像撮影装置の電源がオンの状態を維持するように制御するように前記放射線画像撮影装置の電源のオン／オフ制御を行う第１のオン／オフ制御と、
前記第１のオン／オフ制御とは異なる第２のオン／オフ制御と、
の間で前記放射線画像撮影装置の電源のオン／オフ制御の仕方を切り替えることが可能とされており、
前記コンソールは、
検知した前記撮影環境がポータブルの放射線発生装置を用いて撮影が行われる撮影環境である場合には、前記放射線画像撮影装置に、前記第１のオン／オフ制御に従って前記放射線画像撮影装置の電源のオン／オフ制御を行わせ、
検知した前記撮影環境が撮影室で撮影が行われる撮影環境である場合には、前記放射線画像撮影装置に、前記第２のオン／オフ制御に従って前記放射線画像撮影装置の電源のオン／オフ制御を行わせて、
前記撮影環境に応じて電源のオン／オフ制御を切り替えるように前記放射線画像撮影装置を制御することを特徴とする放射線画像撮影システム。
【請求項１２】
前記ポータブルの放射線発生装置を用いて撮影が行われる撮影環境は、前記放射線画像撮影装置のコネクターと、クレードルのコネクターまたは回診車に搭載された充電装置のコネクターとが接続され、またはそれらの接続が解除される撮影環境であることを特徴とする請求項１１に記載の放射線画像撮影システム。
【発明の詳細な説明】
【技術分野】
【０００１】
本発明は、放射線画像撮影装置および放射線画像撮影システムに係り、放射線画像撮影装置の電源のオン／オフ制御が可能な放射線画像撮影装置および放射線画像撮影システムに関する。
【背景技術】
【０００２】
複数の放射線検出素子が二次元状（マトリクス状）に配列され、被写体を透過した放射線を、各放射線検出素子で放射線の強度に応じて信号値に変換して読み出す放射線画像撮影装置（flat panel detector）が種々開発されている。また、近年、各放射線検出素子を筐体内に収納して持ち運び可能とした可搬型の放射線画像撮影装置も上市されている（例えば特許文献１参照）。
【０００３】
そして、放射線画像撮影装置は、例えば胸部のレントゲン撮影の場合のように病院等の施設の撮影室に設置されている撮影台に装填して撮影に用いることも可能であるが、撮影台から取り出し、被写体である患者の身体にあてがったり、ベッド上に横臥している患者とベッドとの間に差し込んだりして撮影に用いることもできる。
【０００４】
ところで、例えば放射線画像撮影装置を健診車等の車載の撮影システムで用いる場合、スペースが狭いこともあり、放射線画像撮影装置がカセッテホルダーにネジ止めされて撮影に用いられる場合もある。そして、そのような場合、放射線画像撮影装置の電源をオン／オフするためにいちいちネジ止めを外さなければならないと放射線技師等の操作者にとって非常に使い勝手が悪いものとなる。
【０００５】
そのため、このような場合には、放射線画像撮影装置に電力を供給したり放射線画像撮影装置と信号等の送受信を行ったりすることができるように、放射線画像撮影装置とケーブル等を介して接続される等して電気的に接続されている外部装置の電源をオン／オフする際、それに連動して放射線画像撮影装置の電源が自動的にオン／オフされるように構成される場合が多い。
【０００６】
例えば、放射線画像撮影装置を撮影室の撮影台に装填した状態で、撮影が終了する等して、放射線画像撮影装置に電気的に接続されているコンソールや中継器等の電源をオフすると、放射線画像撮影装置の電源も自動的にオフされるように構成される場合がある。そして、このように構成すると、放射線技師等の操作者がいちいち放射線画像撮影装置を撮影台から取り出して放射線画像撮影装置の電源をオフしなくてもよく、コンソールや中継器等の外部装置の電源をオフすれば自動的に放射線画像撮影装置の電源もオフされるため、操作者にとって使い勝手がよいものとなる。
【０００７】
また、上記のオン／オフ制御と同様に、放射線画像撮影装置に、他の機器から延びるケーブルが接続された時点で放射線画像撮影装置の電源が自動的にオンされ、放射線画像撮影装置からケーブルが取り外された時点で放射線画像撮影装置の電源が自動的にオフされるように構成される場合もある。
【０００８】
このような制御は、放射線画像撮影装置が撮影室の撮影台に装填されて用いられる場合等でも同様に行われ得る。例えば、電源オフの放射線画像撮影装置を撮影台に装填して、放射線画像撮影装置のコネクターと撮影台のコネクターとが接続されると、放射線画像撮影装置の電源が自動的にオンされるように構成される場合がある。そして、このように構成すれば放射線技師等の操作者にとって使い勝手がよいものとなる。
【先行技術文献】
【特許文献】
【０００９】
【特許文献１】特開２０１５−１６７４４９号公報
【発明の概要】
【発明が解決しようとする課題】
【００１０】
ところで、上記のように、放射線画像撮影装置の電源が、コンソール等の外部装置と電気的に接続された外部装置の電源オンに連動したり外部装置から延びるケーブル等との接続に連動して自動的にオンされたり、また、電気的に接続された外部装置の電源オフに連動したりケーブル等と放射線画像撮影装置との接続の解除に連動して自動的にオフされるように構成されていると、放射線技師等の操作者にとって都合がよい場合が少なくない。
【００１１】
しかし、例えば、放射線画像撮影装置を、ポータブルの放射線発生装置を搭載した回診車等とともに病室等に持ち込んで撮影を行うような場合、放射線画像撮影装置を病室まで搬送する間、放射線画像撮影装置と回診車とをケーブル等で接続して放射線画像撮影装置の内蔵電源の充電を行うように構成される場合がある。
【００１２】
このような場合に、上記のように構成すると、放射線画像撮影装置の内蔵電源を充電するために放射線画像撮影装置に回診車のケーブル等が接続されると、放射線画像撮影装置はまだ撮影に用いられるわけではないのに、放射線画像撮影装置の電源が自動的にオンされてしまう。そのため、放射線画像撮影装置の内蔵電源から放射線画像撮影装置の各機能部に、供給する必要がない電力が供給されてしまい、放射線画像撮影装置の内蔵電源を充電しつつ内蔵電源の電力が消費される状態になってしまう。そのため、充電完了までの時間が長くなってしまうという問題が生じ得る。
【００１３】
また、上記のように放射線画像撮影装置の内蔵電源を充電しつつ内蔵電源の電力が消費される状態になると、回診車側の充電装置に蓄積された電力を無駄に消費してしまうことにより、回診先が多かったり移動に長時間かかったりする場合には、充電装置側も放射線画像撮影装置側も内蔵電源やバッテリーの電力がなくなってしまう（すなわちいわば空になってしまう）ため回診先で撮影ができなくなるおそれがある。
【００１４】
一方、上記のように構成すると、回診車等が病室に持ち込まれ、撮影を行うために回診車のケーブル等を放射線画像撮影装置から取り外すと、今度は、放射線画像撮影装置の電源が自動的にオフされてしまう。そのため、放射線技師等の操作者は、放射線画像撮影装置を撮影に用いるために、放射線画像撮影装置の電源を手動でオンしなければならず、放射線画像撮影装置の使い勝手が悪いと感じてしまうといった問題が生じ得る。
【００１５】
本発明は、上記の問題点を鑑みてなされたものであり、放射線画像撮影装置が用いられる撮影環境に応じて放射線画像撮影装置の電源のオン／オフを的確に制御することが可能な放射線画像撮影装置および放射線画像撮影システムを提供することを目的とする。
【課題を解決するための手段】
【００１６】
前記の問題を解決するために、本発明の放射線画像撮影装置は、
二次元状に配列された複数の放射線検出素子と、
外部コネクターと接続可能なコネクターと、
を備える放射線画像撮影装置であって、
前記放射線画像撮影装置の電源のオン／オフを制御可能な制御手段と、
前記放射線画像撮影装置が撮影に用いられる撮影環境を検知する検知手段と、を備え、
前記制御手段は、
前記放射線画像撮影装置の前記コネクターが前記外部コネクターと接続された際、前記放射線画像撮影装置の電源がオンの状態である場合には、前記放射線画像撮影装置の電源をオフするように制御し、前記放射線画像撮影装置の前記コネクターと前記外部コネクターとの接続が解除された際、前記放射線画像撮影装置の電源がオフの状態である場合には、前記放射線画像撮影装置の電源をオンするように制御し、前記放射線画像撮影装置の前記コネクターと前記外部コネクターとの接続が解除された際、前記放射線画像撮影装置の電源がオンの状態である場合には、前記放射線画像撮影装置の電源がオンの状態を維持するように制御するように前記放射線画像撮影装置の電源のオン／オフ制御を行う第１のオン／オフ制御と、
前記第１のオン／オフ制御とは異なる第２のオン／オフ制御と、
の間で前記放射線画像撮影装置の電源のオン／オフ制御の仕方を切り替えることが可能とされており、
前記検知手段が検知した前記撮影環境がポータブルの放射線発生装置を用いて撮影が行われる撮影環境である場合には、前記第１のオン／オフ制御に従って前記放射線画像撮影装置の電源のオン／オフを制御し、
前記検知手段が検知した前記撮影環境が撮影室で撮影が行われる撮影環境である場合には、前記第２のオン／オフ制御に従って前記放射線画像撮影装置の電源のオン／オフを制御することを特徴とする。
【００１８】
さらに、本発明の放射線画像撮影システムは、
二次元状に配列された複数の放射線検出素子と、外部コネクターと接続可能なコネクターとを備える放射線画像撮影装置と、
前記放射線画像撮影装置が撮影に用いられる撮影環境を検知可能なコンソールと、
を備え、
前記放射線画像撮影装置は、
前記放射線画像撮影装置の前記コネクターが前記外部コネクターと接続された際、前記放射線画像撮影装置の電源がオンの状態である場合には前記放射線画像撮影装置の電源をオフするように制御し、前記放射線画像撮影装置の前記コネクターと前記外部コネクターとの接続が解除された際、前記放射線画像撮影装置の電源がオフの状態である場合には前記放射線画像撮影装置の電源をオンするように制御し、前記放射線画像撮影装置の前記コネクターと前記外部コネクターとの接続が解除された際、前記放射線画像撮影装置の電源がオンの状態である場合には、前記放射線画像撮影装置の電源がオンの状態を維持するように制御するように前記放射線画像撮影装置の電源のオン／オフ制御を行う第１のオン／オフ制御と、
前記第１のオン／オフ制御とは異なる第２のオン／オフ制御と、
の間で前記放射線画像撮影装置の電源のオン／オフ制御の仕方を切り替えることが可能とされており、
前記コンソールは、
検知した前記撮影環境がポータブルの放射線発生装置を用いて撮影が行われる撮影環境である場合には、前記放射線画像撮影装置に、前記第１のオン／オフ制御に従って前記放射線画像撮影装置の電源のオン／オフ制御を行わせ、
検知した前記撮影環境が撮影室で撮影が行われる撮影環境である場合には、前記放射線画像撮影装置に、前記第２のオン／オフ制御に従って前記放射線画像撮影装置の電源のオン／オフ制御を行わせて、
前記撮影環境に応じて電源のオン／オフ制御を切り替えるように前記放射線画像撮影装置を制御することを特徴とする。
【発明の効果】
【００１９】
本発明のような方式の放射線画像撮影装置および放射線画像撮影システムによれば、放射線画像撮影装置が用いられる撮影環境に応じて放射線画像撮影装置の電源のオン／オフを的確に制御することが可能となる。
【図面の簡単な説明】
【００２０】
【図１】放射線画像撮影装置の外観を示す斜視図である。
【図２】放射線画像撮影装置の等価回路を表すブロック図である。
【図３】放射線発生装置やコンソール等を搭載した回診車を病室に持ち込んで撮影が行われる撮影環境等を表す図である。
【図４】回診車の一例の外観を示す斜視図である。
【図５】図４の例において回診車の本体部内に収納されるボックス内部の構成例を表す図である。
【図６】放射線画像撮影装置のコネクターに回診車のコネクターを接続した状態を表す図である。
【図７】患者の自宅等に放射線画像撮影装置やポータブルの放射線発生装置等を持ち込んで撮影が行われる撮影環境等を表す図である。
【図８】クレードルに挿入された放射線画像撮影装置のコネクターとクレードルのコネクターとが接続された状態を表す図である。
【図９】（Ａ）放射線画像撮影装置のコネクターと外部コネクターが接続されると放射線画像撮影装置の電源がオフされ、（Ｂ）放射線画像撮影装置のコネクターと外部コネクターとの接続が解除されると放射線画像撮影装置の電源がオンされることを表す図である。
【図１０】撮影室で撮影が行われる撮影環境等を表す図である。
【図１１】撮影台のカセッテホルダーに設けられたコネクターの例を表す図である。
【図１２】第２のオン／オフ制御を表す図であり、（Ａ）外部装置の電源のオン／オフに連動して放射線画像撮影装置の電源がオン／オフされ、（Ｂ）撮影台から取り出される場合には放射線画像撮影装置の電源がオンのままとされることを表す図である。
【発明を実施するための形態】
【００２１】
以下、本発明に係る放射線画像撮影装置および放射線画像撮影システムの実施の形態について、図面を参照して説明する。
【００２２】
［放射線画像撮影装置の構成について］
図１は、放射線画像撮影装置の外観を示す斜視図であり、図２は、放射線画像撮影装置の等価回路を表すブロック図である。本実施形態では、放射線画像撮影装置１は、複数の放射線検出素子７（図２参照）が筐体２（図１参照）内に収納されて形成されている。
【００２３】
そして、図１に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（図２参照）が設けられている。
【００２４】
本実施形態では、放射線画像撮影装置１の筐体２内には、図２に示すように、複数の放射線検出素子７が図示しないセンサー基板上に二次元状（マトリクス状）に配列されている。そして、各放射線検出素子７には、バイアス線９が接続されており、バイアス線９やそれらの結線１０を介してバイアス電源１４から逆バイアス電圧が印加される。
【００２５】
また、各放射線検出素子７には、スイッチ素子としてＴＦＴ（Thin Film Transistor）８が接続されており、ＴＦＴ８は信号線６に接続されている。そして、各放射線検出素子７では、図示しない被写体を介して照射された放射線の線量に応じた電荷が各放射線検出素子７内でそれぞれ発生するようになっている。
【００２６】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００２７】
各信号線６は、読み出しＩＣ１６内の各読み出し回路１７にそれぞれ接続されている。そして、信号値Ｄの読み出し処理の際には、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。
【００２８】
相関二重サンプリング回路（図２では「ＣＤＳ」と記載されている。）１９は、増幅回路１８から出力された電圧値をアナログ値の信号値Ｄとして読み出して出力し、出力された信号値Ｄはアナログマルチプレクサー２１を介してＡ／Ｄ変換器２０に順次送信され、Ａ／Ｄ変換器２０でデジタル値の信号値Ｄに順次変換されて記憶手段２３に順次保存されるようになっている。
【００２９】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００３０】
また、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や、リチウムイオンキャパシター等で構成される内蔵電源２４が接続されており、また、前述したアンテナ２９やコネクター２７を介して外部と無線方式や有線方式で通信を行うための通信部３０が接続されている。
【００３１】
また、制御手段２２は、上記のように、バイアス電源１４から各放射線検出素子７への逆バイアス電圧の印加を制御したり、走査駆動手段１５や読み出し回路１７等の動作を制御して、各放射線検出素子７からの信号値Ｄの読み出し処理を行わせ、読み出された信号値Ｄを記憶手段２３に保存したり、或いは、保存された信号値Ｄを、通信部３０を介して外部に転送する等の制御を行うようになっている。
【００３２】
また、制御手段２２は、放射線画像撮影装置１の電源のオン／オフを制御することができるようになっている。その際、制御手段２２には、放射線画像撮影装置１の電源がオフの状態でも内蔵電源２４から供給される非常に小さい電力で駆動する図示しないマイコンが含まれている。そのため、制御手段２２は、放射線画像撮影装置１の電源がオフの状態であっても放射線画像撮影装置１の電源のオフからオンへの切り替えを制御することができるようになっている。
【００３３】
［第１の実施の形態］
次に、本発明の第１の実施形態に係る放射線画像撮影装置１について説明する。本実施形態では、放射線画像撮影装置１の制御手段２２は、以下のようにして放射線画像撮影装置１の電源のオン／オフ制御を行うようになっている。
【００３４】
すなわち、放射線画像撮影装置１の制御手段２２は、放射線画像撮影装置１のコネクター２７（図１参照）が後述する外部コネクターと接続された際に、放射線画像撮影装置１の電源がオンの状態である場合には、放射線画像撮影装置１の電源をオフするように制御するようになっている。また、制御手段２２は、放射線画像撮影装置１のコネクター２７と外部コネクターとの接続が解除された際、放射線画像撮影装置１の電源がオフの状態である場合には、放射線画像撮影装置１の電源をオンするように制御するようになっている。
【００３５】
［放射線画像撮影装置が用いられる撮影環境について］
以下、具体的に説明するために、まず、本実施形態に係る放射線画像撮影装置１が用いられる撮影環境について説明する。
【００３６】
撮影環境の例として、例えば、図３に示すように、放射線発生装置４３やコンソール４４等を搭載した回診車４０を病室Ｒ１に持ち込んで撮影が行われる場合を挙げることができる。以下、まず、回診車４０の構成等について簡単に説明する。
【００３７】
図４は、回診車の一例の外観を示す斜視図である。なお、以下では、放射線発生装４３のアーム４２が設けられた側を回診車４０の前側、ホルダー４６が設けられた側を回診車４０の後方や背面側として説明する。回診車４０は、本体部４１の前側に、アーム４２が立設されており、アーム４２に放射線を照射可能な放射線発生装置４３が取り付けられている。また、本実施形態では、回診車４０の本体部４１の上面部には、コンソール４４が搭載されている。
【００３８】
なお、図４に示した例では、アーム４２を回転させたり、アーム４２を中心として放射線発生装置４３を回動させたりすることができるようになっている。そして、回診車４０を搬送する際には、図４に示したように放射線発生装置４３が回診車４０の本体部４１の上方に配置された状態で搬送し、撮影時には、放射線発生装置４３を図中の矢印方向に回動させて図３に示した状態にして使用することができるようになっている。
【００３９】
回診車４０の本体部４１の背面側上部には、放射線技師等の操作者が回診車４０を動かす際などに握るハンドルバー４５が設けられている。また、回診車４０の本体部４１の背面には、放射線画像撮影装置１（図１等参照）を挿入可能なホルダー４６が設けられている。そして、撮影に使用する放射線画像撮影装置１をホルダー４６に挿入した状態で、放射線画像撮影装置１を回診車４０とともに病室Ｒ１等に搬送することができるようになっている。
【００４０】
また、図４に示した例では、回診車４０の本体部４１内には、ボックス５０が収納されている。そして、図５に示すように、ボックス５０内には、回診車４０を制御するコンピューターユニット５１やインターフェースユニット５２、放射線画像撮影装置１と無線通信を行うためのアクセスポイント５３、充電装置５４、バッテリー５５等が搭載されている。
【００４１】
インターフェースユニット５２やアクセスポイント５３等は、コンソール４４（図４参照）とも接続されている。そして、図４や図５に示すように、アクセスポイント５３のアンテナ５６が回診車４０の背面側に配設されている。また、本体部４１内には、車輪を駆動させるためのモーターや放射線発生装置４３のジェネレーター等の各種機器が配設されている。
【００４２】
また、図４や図５に示すように、充電装置５４に接続されたケーブルＣａが、回診車４０の背面側に引き出されている。そして、上記のように、放射線画像撮影装置１を回診車４０のホルダー４６に挿入する際に、図６に示すように、放射線画像撮影装置１のコネクター２７と、回診車４０のケーブルＣａの先端に取り付けられたコネクターＣとが接続された状態で挿入されるようになっている。
【００４３】
そして、回診車４０がその状態で病室Ｒ１（図３参照）に搬送される際に、回診車４０に搭載された充電装置５４からケーブルＣａを介して放射線画像撮影装置１の内蔵電源２４（図２参照）に電力を供給して、放射線画像撮影装置１の内蔵電源２４を充電することができるようになっている。
【００４４】
また、撮影の際には、放射線画像撮影装置１が回診車４０のホルダー４６から取り出され、放射線画像撮影装置１のコネクター２７からコネクターＣが取り外される。そして、例えば図３に示したように、放射線画像撮影装置１が被写体Ｈである患者とベッドＢｅとの間に差し込まれたり患者の身体にあてがわれたりしてポジショニングされた後、放射線技師等の操作者Ｔが曝射スイッチ４８を操作することで、放射線発生装置４３から放射線を照射させて撮影が行われるようになっている。
【００４５】
一方、本実施形態に係る放射線画像撮影装置１が用いられる撮影環境は、上記のような回診車４０とともに病室Ｒ１に搬送される場合に限らず、例えば図７に示すように、患者の自宅等に、放射線画像撮影装置１や、ポータブルの放射線発生装置６０、放射線画像撮影装置１の充電装置としてのクレードル６１、放射線画像撮影装置１を制御するコンソール６２等を持ち込んで在宅の状態で撮影が行われる場合を挙げることもできる。
【００４６】
この場合、放射線画像撮影装置１は、撮影に用いられていない際には、例えば図８に示すようにクレードル６１に挿入されるようになっている。そして、放射線画像撮影装置１をクレードル６１に挿入すると、放射線画像撮影装置１のコネクター２７とクレードル６１のコネクターＣとが自動的に接続されるようになっている。
【００４７】
そして、その状態でクレードル６１から電力を供給して放射線画像撮影装置１の内蔵電源２４（図２参照）の充電を行うことができるようになっている。また、撮影の際には、放射線画像撮影装置１はクレードル６１から取り出され、図３に示した場合と同様にして、被写体Ｈである患者とベッドＢｅや布団等との間に差し込まれたり患者の身体にあてがわれたりして撮影に用いられるようになっている。
【００４８】
［作用］
次に、本実施形態に係る放射線画像撮影装置１の作用について説明する。
前述したように、撮影室や健診車のカセッテホルダー等に放射線画像撮影装置を装填して撮影を行う場合、放射線画像撮影装置と電気的に接続されているコンソールや中継器等の外部装置の電源のオン／オフと連動して放射線画像撮影装置の電源がオン／オフするように制御されていれば、外部装置の電源をオン／オフさせるだけで放射線画像撮影装置の電源のオン／オフを切り替えることができるため、放射線技師等の操作者にとって都合がよい場合があった。
【００４９】
しかし、上記のようにポータブルの放射線発生装置４３等を搭載した回診車４０を病室Ｒ１に持ち込んで撮影を行う撮影環境（図３等参照）や、患者の自宅等にポータブルの放射線発生装置６０等を持ち込んで撮影を行う撮影環境（図７等参照）において、上記のように放射線画像撮影装置１の電源が外部装置の電源のオン／オフに連動してオン／オフされるように制御するように構成すると、以下のような問題が生じ得る。
【００５０】
すなわち、これらの撮影環境において、放射線画像撮影装置１のコネクター２７と、回診車４０に搭載された充電装置５４から延びるケーブルＣａの先端のコネクターＣ（図４〜図６参照）やクレードル６１のコネクターＣ（図８参照）とを接続するのは、放射線画像撮影装置１を搬送したり内蔵電源２４を充電するためであり、その状態で放射線画像撮影装置１が撮影に用いられるわけではない。そのため、これらの撮影環境で、放射線画像撮影装置１のコネクター２７と回診車４０に搭載された充電装置５４やクレードル６１のコネクターＣとが接続された場合には、放射線画像撮影装置１の電源はオフの状態のままでよい。
【００５１】
それにもかかわらず、上記のように電源のオン／オフが連動するように構成されていると、この場合、充電装置５４やクレードル６１は放射線画像撮影装置１の内蔵電源２４を充電するために電源はオンの状態とされているため、放射線画像撮影装置１のコネクター２７とケーブルＣａやクレードル６１のコネクターＣとが接続された時点で、放射線画像撮影装置１の電源が自動的にオンされてしまう（或いは放射線画像撮影装置１の電源がすでにオンの状態であればその状態が維持される。）。
【００５２】
このように、上記のように電源のオン／オフが連動するように構成されていると、放射線画像撮影装置１が撮影に用いられるわけではないにもかかわらず、オンする必要のない電源がオンされてしまうという問題が生じ得る。また、そればかりでなく、電源がオンの状態では放射線画像撮影装置１の内蔵電源２４から放射線画像撮影装置１の各機能部に電力が供給されるため、充電装置５４やクレードル６１から電力を供給して放射線画像撮影装置１の内蔵電源２４の充電を行っている最中に内蔵電源２４の電力が消費される状態になる。そのため、前述したように、充電に要する時間が長くなってしまう等の問題も生じ得る。
【００５３】
また、これらの撮影環境において、上記のように電源のオン／オフが連動するように構成されていると、今度は、撮影を行うために放射線画像撮影装置１が充電装置５４やクレードル６１から取り外されて、放射線画像撮影装置１のコネクター２７と充電装置５４やクレードル６１のコネクターＣとの接続が解除されると、充電装置５４やクレードル６１の電源がオフされたと見なされて、放射線画像撮影装置１の電源が自動的にオフされる場合があり得る。
【００５４】
しかし、この場合は、これから放射線画像撮影装置１を用いて撮影が行われるのであるから放射線画像撮影装置１の電源はオンされていなければならないのに自動的にオフされてしまうため、放射線技師等の操作者がいちいち放射線画像撮影装置１の電源をオンし直さなければならなくなるといった問題が生じ得る。
【００５５】
このように、上記の各撮影環境において、放射線画像撮影装置１の電源が外部装置の電源のオン／オフに連動してオン／オフするように構成されていて上記のような種々の問題が生じると、放射線画像撮影装置１が放射線技師等の操作者にとって使い勝手が悪いものとなってしまう。
【００５６】
それに対し、本実施形態では、図９（Ａ）に示すように、放射線画像撮影装置１の制御手段２２は、放射線画像撮影装置１のコネクター２７が回診車４０に搭載された充電装置５４のコネクターＣやクレードル６１のコネクターＣ（以下、まとめて外部コネクターＣという場合がある。）と接続された際には、放射線画像撮影装置１の電源がオンの状態である場合には、放射線画像撮影装置１の電源をオフするように制御する。また、放射線画像撮影装置１のコネクター２７と外部コネクターＣとが接続された際に放射線画像撮影装置１の電源がオフの状態であれば、電源がオフの状態を維持するように制御する。
【００５７】
そのため、本実施形態に係る放射線画像撮影装置１では、上記のように、放射線画像撮影装置１のコネクター２７と外部コネクターＣとが接続されて放射線画像撮影装置１の内蔵電源２４の充電が行われる場合には、放射線画像撮影装置１の電源がオンの状態であれば自動的にオフされる（或いは電源オフの状態が維持される）。
【００５８】
そのため、上記のように充電の際に放射線画像撮影装置１の電源が必要もないのにオンされてしまうことを的確に防止することが可能となる。また、前述したように放射線画像撮影装置１の内蔵電源２４の充電に要する時間が不必要に長くなったり、回診中に放射線画像撮影装置１の内蔵電源２４や回診車４０のバッテリー５５の電力がなくなってしまい回診先で撮影ができなくなる等の問題が生じることを的確に回避することが可能となる。
【００５９】
また、本実施形態では、図９（Ｂ）に示すように、放射線画像撮影装置１の制御手段２２は、放射線画像撮影装置１のコネクター２７と外部コネクターＣとの接続が解除された際には、放射線画像撮影装置１の電源がオフの状態である場合には、放射線画像撮影装置１の電源をオンするように制御する。また、放射線画像撮影装置１のコネクター２７と外部コネクターＣとの接続が解除された際に放射線画像撮影装置１の電源がオンの状態であれば、電源がオンの状態を維持するように制御する。
【００６０】
そのため、本実施形態に係る放射線画像撮影装置１では、上記のように、放射線画像撮影装置１のコネクター２７と外部コネクターＣとの接続が解除されて撮影が開始される場合には、放射線画像撮影装置１の電源がオフの状態であれば自動的にオンされる（或いは電源オンの状態が維持される）。
【００６１】
そのため、これから放射線画像撮影装置１を用いて撮影が行われるのに放射線画像撮影装置１の電源がオフされてしまうことが的確に防止され、放射線技師等の操作者は、放射線画像撮影装置１を充電装置５４やクレードル６１から取り外してスムーズに（すなわち放射線画像撮影装置１の電源をいちいちオンすることなく）撮影を行うことが可能となる。
【００６２】
なお、図示を省略するが、外部コネクターＣ内にはチップが内蔵されており、外部コネクターＣと放射線画像撮影装置１のコネクター２７とが接続されている場合、外部コネクターＣのチップは、放射線画像撮影装置１から送信したパルス信号に対してレスポンス信号を放射線画像撮影装置１に返すようになっている。
【００６３】
そのため、放射線画像撮影装置１の制御手段２２は、例えば、外部コネクターＣに対して送信したパルス信号に応じて外部コネクターＣからレスポンス信号が返ってきた場合には、外部コネクターＣと放射線画像撮影装置１のコネクター２７とが接続されていることを検知し、パルス信号を送信しても外部コネクターＣからレスポンス信号が返ってこない場合には、外部コネクターＣと放射線画像撮影装置１のコネクター２７とが接続されていないこと（すなわち非接続）を検知するように構成することが可能である。
【００６４】
また、例えば、放射線画像撮影装置１に、外部コネクターＣと放射線画像撮影装置１のコネクター２７との物理的な接続（或いは非接続）を検知する手段を設けておき、当該手段から制御手段２２に対して接続（或いは非接続）を検知したことを表す信号等を送信するように構成することも可能であり、外部コネクターＣの接続、非接続の検知の仕方は特定の仕方に限定されない。
【００６５】
［効果］
以上のように、本実施形態に係る放射線画像撮影装置１によれば、上記のようにポータブルの放射線発生装置４３等を搭載した回診車４０を病室Ｒ１に持ち込んで撮影を行う撮影環境（図３等参照）や、患者の自宅等にポータブルの放射線発生装置６０等を持ち込んで撮影を行う撮影環境（図７等参照）において、放射線画像撮影装置１を、クレードル６１や回診車４０に搭載された充電装置５４に接続した場合には、放射線画像撮影装置１の電源が自動的にオフされ、クレードル６１や充電装置５４から取り外した際には放射線画像撮影装置１の電源が自動的にオンされる。
【００６６】
このように、本実施形態に係る放射線画像撮影装置１によれば、放射線画像撮影装置１が用いられる撮影環境に応じて放射線画像撮影装置１の電源のオン／オフを的確に制御することが可能となる。そして、このように放射線画像撮影装置１の電源が撮影環境に応じて的確にオン／オフ制御されるため、放射線画像撮影装置１が放射線技師等の操作者にとって使い勝手がよいものとなる。
【００６７】
なお、図７に示した患者の自宅等にポータブルの放射線発生装置６０等を持ち込んで撮影を行う撮影環境では、放射線画像撮影装置１の充電装置としてクレードル６１（すなわち放射線画像撮影装置１を挿入することで放射線画像撮影装置１の充電を行うタイプの充電装置）を用いる場合を示したが、それに限定されず、例えば図示しない充電装置から延びるケーブルＣａを図６に示したように放射線画像撮影装置１のコネクター２７に接続して充電を行うタイプの充電装置であってもよい。
【００６８】
また、上記のように放射線画像撮影装置１の充電装置としてクレードル６１を用いると、クレードル６１を放射線画像撮影装置１の保管手段としても用いることが可能となる等のメリットがある。すなわち、例えば放射線画像撮影装置１を患者の自宅の床面上に置いておくと、放射線画像撮影装置１が踏まれる等して損傷する可能性があるが、放射線画像撮影装置１をクレードル６１に挿入して保管すれば、そのような事態が生じることを的確に防止することが可能となる等のメリットがある。
【００６９】
［第２の実施の形態］
上記の第１の実施形態における各撮影環境（図３や図７等参照）では、いずれもポータブルの放射線発生装置４３、６０を用いて撮影が行われるため、以下では、それらをまとめて「ポータブルの放射線発生装置を用いて撮影が行われる撮影環境」という。そして、放射線画像撮影装置１が、ポータブルの放射線発生装置を用いて撮影が行われる撮影環境でのみ用いられる場合（いわば放射線画像撮影装置１がこのような撮影環境専用である場合）には、上記のように構成することで、上記のような有益な作用効果を得ることができる。
【００７０】
しかし、放射線画像撮影装置１が、上記のような撮影環境でも使用可能であり、前述した撮影室や健診車等での撮影にも用いることができるように構成されている場合がある。なお、このように撮影室や健診車等で撮影が行われる場合の撮影環境を、以下では、まとめて「撮影室で撮影が行われる撮影環境」という。そのため、撮影室で撮影が行われる撮影環境という場合、健診車等で撮影が行われる場合も含まれる。
【００７１】
そして、このような場合に、放射線画像撮影装置１の制御手段２２が、第１の実施形態で説明したオン／オフ制御（図９（Ａ）、（Ｂ）参照。以下、第１のオン／オフ制御という。）のみを行うように構成されていると、例えば放射線画像撮影装置１が健診車のカセッテホルダーに装填されていて放射線画像撮影装置１のコネクター２７とカセッテホルダー内のコネクターとが接続されたままになっている場合、放射線画像撮影装置１の電源はオフの状態のままになる。そのため、この場合、放射線技師等の操作者は、放射線画像撮影装置１の電源をオンする際にはいちいちネジ止めを外して電源をオンしなければならなくなるが、それでは放射線画像撮影装置１が操作者にとって使い勝手が悪いものとなり得る。
【００７２】
そこで、本実施形態では、放射線画像撮影装置１が、ポータブルの放射線発生装置を用いて撮影が行われる撮影環境と撮影室で撮影が行われる撮影環境のいずれの撮影環境においても撮影に使用される場合（或いは使用できるように構成される場合）には、放射線画像撮影装置１の制御手段２２は、撮影環境に応じて、放射線画像撮影装置１の電源のオン／オフ制御の仕方を、上記の第１のオン／オフ制御と、それとは異なる第２のオン／オフ制御との間で切り替えるようになっている。
【００７３】
［撮影室で撮影が行われる撮影環境について］
以下、第２のオン／オフ制御やオン／オフ制御の切り替えについて説明する前に、前述した撮影室で撮影が行われる撮影環境について一例を挙げて説明する。なお、以下では、撮影が撮影室で行われる場合について説明するが、図示を省略するが、撮影が前述した健診車等で行われる場合も同様に構成される。
【００７４】
図１０に例示する撮影環境では、撮影室Ｒａ内に、カセッテホルダー７０ａに放射線画像撮影装置１を装填することが可能な撮影台７０が設けられている。なお、図１０において、撮影台７０Ａは立位撮影用の撮影台を表し、撮影台０Ｂは臥位撮影用の撮影台を表している。また、例えば、放射線画像撮影装置１を臥位撮影用の撮影台７０Ｂの天板上に横臥した図示しない被写体と天板との間に差し込む等して撮影を行うことも可能である。
【００７５】
図１１に例示するように、撮影台７０のカセッテホルダー７０ａには、コネクター７１が設けられており、例えば放射線画像撮影装置１が撮影台７０のカセッテホルダー７０ａに装填される際、放射線画像撮影装置１のコネクター２７（図１等参照）と撮影台７０のカセッテホルダー７０ａに設けられたコネクター７１とが自動的に接続されるようになっている。なお、図６に示したように、放射線画像撮影装置１のコネクター２７と撮影台７０のコネクター７１とを手動で接続してカセッテホルダー７０ａに装填する場合もある。
【００７６】
また、撮影室Ｒａには、撮影室Ｒａの天井等に移動可能に取り付けられた放射線発生装置７２が少なくとも１つ設けられている。また、撮影室Ｒａには、撮影室Ｒａ内の各装置等や撮影室Ｒａ外の各装置等の間の無線方式や有線方式での通信等を中継するためのアクセスポイント７３を備えた中継器７４が設けられている。また、中継器７４には、放射線発生装置７２のジェネレーター７５や後述するコンソール７８等も接続されており、中継器７４は、放射線画像撮影装置１やコンソール７８、放射線発生装置７２のジェネレーター７５等との間の通信を中継するようになっている。
【００７７】
そして、放射線発生装置７２のジェネレーター７５は、放射線技師等の操作者により管電圧や管電流、曝射時間、照射線量等が設定されると、放射線発生装置７２から、設定された管電圧等に応じた線量の放射線を照射させるなど、放射線発生装置７２に対して種々の制御を行うようになっている。
【００７８】
前室（操作室等ともいう。）Ｒｂには、放射線発生装置７２の操作卓７６が設けられており、操作卓７６には、放射線技師等の操作者が操作してジェネレーター７５に対して放射線の照射開始等を指示するための曝射スイッチ７７が設けられている。そして、放射線技師等の操作者が、図示しない被写体である患者や放射線画像撮影装置１、放射線発生装置７２の位置調整等を行った後、曝射スイッチ７７を操作することで、放射線発生装置７２から放射線が照射されて撮影が行われるようになっている。
【００７９】
また、前室Ｒｂには、コンピューター等で構成されたコンソール７８が設置されている。なお、コンソール７８を撮影室Ｒａや前室Ｒｂの外側や別室等に設けるように構成することも可能である。そして、コンソール７８には、ＣＲＴ（Cathode Ray Tube）やＬＣＤ（Liquid Crystal Display）等で構成される表示部７８ａが設けられており、マウスやキーボード、タッチパネル等の入力手段７８ｂが接続されている。また、コンソール７８には、ＨＤＤ（Hard Disk Drive）等で構成された記憶手段７９が接続され、或いは内蔵されている。
【００８０】
［撮影室で撮影が行われる撮影環境での放射線画像撮影装置の電源のオン／オフ制御について］
本実施形態では、撮影環境が上記のような撮影室で撮影が行われる撮影環境である場合、放射線画像撮影装置１の制御手段２２は、放射線画像撮影装置１の電源のオン／オフ制御として、上記のポータブルの放射線発生装置を用いて撮影が行われる撮影環境における上記の第１のオン／オフ制御とは異なる第２のオン／オフ制御に従って放射線画像撮影装置１の電源のオン／オフを制御するようになっている。
【００８１】
撮影室Ｒａや健診車等で撮影が行われる場合、前述したように、放射線画像撮影装置１とケーブル等で接続される等して電気的に接続されている外部装置の電源のオン／オフに連動して放射線画像撮影装置１の電源がオン／オフするように構成されていれば便利である。
【００８２】
具体的には、図１１に示した撮影台７０のカセッテホルダー７０ａに放射線画像撮影装置１が装填されて、放射線画像撮影装置１のコネクター２７（図１等参照）と撮影台７０のコネクター７１とが接続されると、図１０に示したように、放射線画像撮影装置１と中継器７４やコンソール７８等が電気的に接続される。
【００８３】
そこで、本実施形態では、例えば図１２（Ａ）に示すように、放射線画像撮影装置１の制御手段２２は、第２のオン／オフ制御として、電気的に接続されている中継器７４やコンソール７８等の外部装置Ａの電源のオン／オフに連動して放射線画像撮影装置１の電源をオン／オフさせるように制御するように構成することが可能である。
【００８４】
このように構成すれば、前述したように、放射線画像撮影装置１を撮影台７０のカセッテホルダー７０ａから取り出して電源をオン／オフしたり、健診車等のカセッテホルダーからネジ止めを外して放射線画像撮影装置１の電源をオン／オフしたりする必要がなくなるなど、放射線技師等の操作者にとって使い勝手が良くなる。
【００８５】
また、前述したように、撮影室Ｒａ内での撮影では、撮影台７０のカセッテホルダー７０ａに装填されている放射線画像撮影装置１を取り出して臥位撮影用の撮影台７０Ｂの天板上に横臥した図示しない被写体と天板との間に差し込む等して使用される場合がある。そして、この場合、放射線画像撮影装置１が撮影台７０から取り出される際、放射線画像撮影装置１のコネクター２７と撮影台７０のコネクター７１との接続が解除されるが、その際に放射線画像撮影装置１の電源が自動的にオフされてしまうと、放射線技師等の操作者は、放射線画像撮影装置１の電源を再度手動でオンしなければならず、不便である。
【００８６】
そのため、第２のオン／オフ制御では、放射線画像撮影装置１の制御手段２２は、例えば図１２（Ｂ）に示すように、放射線画像撮影装置１のコネクター２７と撮影台７０のコネクター７１との接続が解除される際には、放射線画像撮影装置１の電源をオフせずオンの状態を維持するように制御するように構成することが可能である。
【００８７】
なお、第２のオン／オフ制御では、図１２（Ａ）、（Ｂ）に示した制御以外の制御を含むように構成することが可能である。そして、このように構成することで、撮影室（健診車等を含む。）における撮影の際に、放射線画像撮影装置１の電源のオン／オフが適切に制御されるようになる。
【００８８】
［第１のオン／オフ制御と第２のオン／オフ制御との切り替えについて］
そして、本実施形態に係る放射線画像撮影装置１では、制御手段２２は、撮影環境がポータブルの放射線発生装置を用いて撮影が行われる撮影環境である場合には、第１の実施形態で説明した第１のオン／オフ制御（図９（Ａ）、（Ｂ）参照）に従って放射線画像撮影装置１の電源のオン／オフを制御し、撮影環境が撮影室で撮影が行われる撮影環境である場合には、第１のオン／オフ制御とは異なる第２のオン／オフ制御（図１２（Ａ）、（Ｂ）参照）に従って放射線画像撮影装置１の電源のオン／オフを制御するように、撮影環境に応じて放射線画像撮影装置１の電源のオン／オフ制御の仕方を切り替えるようになっている。
【００８９】
このように構成することで、放射線画像撮影装置１の制御手段２２は、撮影環境に応じて、放射線画像撮影装置１の電源のオン／オフ制御の仕方を的確に切り替えることが可能となる。そして、撮影環境に応じて放射線画像撮影装置１の電源が的確にオン／オフするようになるため、放射線画像撮影装置１が放射線技師等の操作者にとって非常に使い勝手が良いものとなる。
【００９０】
なお、上記のように構成する場合、放射線画像撮影装置１の制御手段２２が、放射線画像撮影装置１が撮影に用いられる撮影環境が、ポータブルの放射線発生装置を用いて撮影が行われる撮影環境であるか、撮影室で撮影が行われる撮影環境であるかを検知することができるように構成されている必要がある。以下、撮影環境の検知の仕方について具体例を挙げて説明する。なお、撮影環境の検知は、放射線画像撮影装置１の制御手段２２が自ら行うように構成してもよく、また、制御手段２２とは別個に検知手段を設けるように構成することも可能である。
【００９１】
［撮影環境の検知の仕方の構成例１］
放射線画像撮影装置１の制御手段２２は、放射線画像撮影装置１のコネクター２７に他のコネクターが接続されると、他のコネクターに取り付けられているケーブルのＩＤやケーブルを介して電気的に接続されている外部機器（充電装置５４やクレードル６１、撮影台７０、中継器７４、コンソール７８等）のＩＤ等を取得することができる。
【００９２】
そのため、例えば、ケーブルや外部機器のＩＤ等が、ポータブルの放射線発生装置を用いて撮影が行われる撮影環境で使用されるケーブルや外部機器（充電装置５４やクレードル６１等）のＩＤ等と、撮影室で撮影が行われる撮影環境で使用されるケーブルや外部機器（撮影台７０や中継器７４、コンソール７８等）のＩＤ等とに分類されたテーブル等を、放射線画像撮影装置１が予め有しておくように構成される。
【００９３】
なお、以下の構成例においても同様であるが、この場合、ＩＤ等を、テーブル等の形で放射線画像撮影装置１の記憶手段２３（図２参照）や図示しないＲＯＭ中に分類して記憶しておくように構成してもよく、ＩＤ等をプログラム中に分類して書き込んでおくように構成することも可能である。
【００９４】
そして、放射線画像撮影装置１の制御手段２２は、放射線画像撮影装置１のコネクター２７と他のコネクターとが接続された際に、当該他のコネクターから取得した上記のＩＤ等に基づいて、上記の分類を参照して、放射線画像撮影装置１が撮影に用いられる撮影環境を割り出して検知するように構成することが可能である。
【００９５】
［撮影環境の検知の仕方の構成例２］
しかし、上記の構成例１では、放射線画像撮影装置１の制御手段２２は、放射線画像撮影装置１のコネクター２７と他のコネクターとが接続されるまで、放射線画像撮影装置１が撮影に用いられる撮影環境が、上記のいずれの撮影環境であるか検知することができない。
【００９６】
そこで、例えば、撮影前に放射線画像撮影装置１から自らのＩＤ等をコンソール４４、６２、７８（図４、図７、図１０参照）に無線通信してコンソールに登録する処理が行われる場合があるが、そのような場合には、放射線画像撮影装置１の制御手段２２は、コンソールから送信されてきたコンソールのＩＤ等に基づいて（すなわちコンソールが上記のいずれの撮影環境で用いられるものであるかに基づいて）、放射線画像撮影装置１が撮影に用いられる撮影環境を割り出して検知するように構成することが可能である。
【００９７】
この場合も、コンソールのＩＤ等を、ポータブルの放射線発生装置を用いて撮影が行われる撮影環境で使用されるコンソール（コンソール４４、６２等）のＩＤ等と、撮影室で撮影が行われる撮影環境で使用されるコンソール（コンソール７８等）のＩＤ等とに分類して有しておくように構成される。
【００９８】
なお、放射線画像撮影装置１の制御手段２２は、上記のようにコンソールからＩＤ等を取得する代わりに、例えばコンソールに割り振られているＩＰアドレスやサブネットマスク等に応じて、放射線画像撮影装置１が撮影に用いられる撮影環境を割り出して検知するように構成することも可能である。
【００９９】
［撮影環境の検知の仕方の構成例３］
また、ポータブルの放射線発生装置を用いて撮影が行われる撮影環境において放射線画像撮影装置１が無線通信を行う際、例えば回診車４０（図４参照）やコンソール６２（図７参照）等にアクセスポイント（アクセスポイント５３、６２ａ等）が設けられたり、或いは、アクセスポイントがそれらに接続されて無線通信に使用される場合がある。また、撮影室で撮影が行われる撮影環境において放射線画像撮影装置１が無線通信を行う際には、図１０に示したように、例えば中継器７４に設けられたアクセスポイント７３を介して無線通信が行われる場合がある。
【０１００】
そのため、放射線画像撮影装置１の制御手段２２は、放射線画像撮影装置１が無線通信を行う際に接続されるアクセスポイントに応じて、放射線画像撮影装置１が撮影に用いられる撮影環境が、ポータブルの放射線発生装置を用いて撮影が行われる撮影環境と撮影室で撮影が行われる撮影環境のいずれであるかを割り出して検知するように構成することが可能である。
【０１０１】
例えば、無線ＬＡＮで無線通信が行われる際には、各アクセスポイントにそれぞれＳＳＩＤ（Service Set Identifier）が割り振られている。そのため、例えば、放射線画像撮影装置１の制御手段２２は、アクセスポイントからＳＳＩＤを取得し、取得したＳＳＩＤに基づいて、放射線画像撮影装置１が撮影に用いられる撮影環境を割り出して検知するように構成することが可能である。
【０１０２】
［効果］
以上のように、本実施形態に係る放射線画像撮影装置１によれば、放射線画像撮影装置１の制御手段２２は、放射線画像撮影装置が撮影に用いられる撮影環境がポータブルの放射線発生装置を用いて撮影が行われる撮影環境であるか撮影室で撮影が行われる撮影環境であるかを的確に検知し、検知した撮影環境に応じて放射線画像撮影装置１の電源のオン／オフ制御の仕方を切り替える。
【０１０３】
そのため、放射線画像撮影装置１の電源のオン／オフ制御が、放射線画像撮影装置１が用いられる撮影環境に応じて、各撮影環境に適するオン／オフ制御（すなわち第１のオン／オフ制御或いは第２のオン／オフ制御）に的確かつ自動的に切り替えられ、放射線画像撮影装置１の電源がそれぞれの撮影環境に応じて適切にオン／オフされるようになる。そのため、放射線画像撮影装置１が放射線技師等の操作者にとって非常に使い勝手が良いものとなる。
【０１０４】
なお、上記の撮影環境の検知の仕方の構成例として、例えば、放射線画像撮影装置１の切替スイッチ２６（図１参照）を放射線技師等の操作者が操作する等して、操作者が放射線画像撮影装置１に対して手動で撮影環境を設定するように構成することも可能である。
【０１０５】
［第３の実施の形態］
一方、上記の第２の実施形態では、例えば放射線画像撮影装置１の制御手段２２がコンソール４４、６２、７８（図４、図７、図１０参照）から送信されたＩＤ等に基づいて撮影環境を検知し、検知した撮影環境に応じて放射線画像撮影装置１の電源のオン／オフ制御の仕方を切り替える場合について説明した。そして、これは、コンソールとして、各撮影環境でそれぞれ専用のコンソールが使用される場合には有効である。
【０１０６】
しかし、１つのコンソールが、ポータブルの放射線発生装置を用いて撮影が行われる撮影環境と撮影室で撮影が行われる撮影環境のいずれの撮影環境でも用いられる場合もあり得る。そのため、そのような場合には、以下のように構成することが可能である。なお、以下の構成は、各撮影環境でそれぞれ専用のコンソールが使用される場合にも適用可能である。
【０１０７】
すなわち、例えば図４や図７、図１０に示したような放射線画像撮影装置１やコンソール４４、６２、７８を備える放射線画像撮影システム１００において、コンソールで撮影環境を検知するように構成し、コンソールが検知した撮影環境がポータブルの放射線発生装置を用いて撮影が行われる撮影環境である場合には、放射線画像撮影装置１に前述した第１のオン／オフ制御に従って放射線画像撮影装置１の電源のオン／オフ制御（図９（Ａ）、（Ｂ）参照）を行わせ、コンソールが検知した撮影環境が撮影室で撮影が行われる撮影環境である場合には、放射線画像撮影装置１に前述した第２のオン／オフ制御（図１２（Ａ）、（Ｂ）参照）に従って放射線画像撮影装置１の電源のオン／オフ制御を行わせるようにして、撮影環境に応じて電源のオン／オフ制御を切り替えるように放射線画像撮影装置１を制御するように構成することが可能である。
【０１０８】
この場合、例えば、放射線画像撮影装置１が予め、第１のオン／オフ制御と第２のオン／オフ制御に関するプログラム等をそれぞれ有しており、コンソールが、検知した撮影環境に応じて、放射線画像撮影装置１に第１、第２のオン／オフ制御のいずれかを指示し、放射線画像撮影装置１の制御手段２２は、指示された方のオン／オフ制御（すなわち第１のオン／オフ制御または第２のオン／オフ制御）に従って放射線画像撮影装置１の電源をオン／オフするように構成することが可能である。
【０１０９】
或いは、放射線画像撮影装置１は、第１のオン／オフ制御と第２のオン／オフ制御に関するプログラム等をいずれも有しておらず、コンソールが、検知した撮影環境に応じて、第１のオン／オフ制御に関するプログラム等または第２のオン／オフ制御に関するプログラム等を放射線画像撮影装置１に送信することで、放射線画像撮影装置１の制御手段２２に、送信したオン／オフ制御に従って放射線画像撮影装置１の電源をオン／オフさせるように構成することも可能である。
【０１１０】
また、コンソールが撮影環境を検知する方法としては、例えば以下のような方法があり得る。すなわち、コンソールが、特定の撮影環境に専用である場合には、自らが用いられる撮影環境を予め検知することができる。すなわち、コンソール４４、６２（図４や図７等参照）が専用のコンソールである場合には、撮影環境は、ポータブルの放射線発生装置を用いて撮影が行われる撮影環境であると予め検知できる。
【０１１１】
また、コンソール７８（図１０参照）が専用のコンソールである場合には、撮影環境は、撮影室で撮影が行われる撮影環境であると予め検知できる。なお、この場合、コンソール４４、６２は、放射線画像撮影装置１に対して第１のオン／オフ制御のみを指示し、コンソール７８は、放射線画像撮影装置１に対して第２のオン／オフ制御のみを指示することになる。
【０１１２】
また、コンソールが上記のいずれの撮影環境でも用いられる場合、例えば、コンソールは、撮影前に、撮影に関する種々の条件等が指定された撮影オーダー情報（不図示）が入力されたりＲＩＳ（Radiology Information System；放射線科情報システム）等から入手したりする場合があることを利用して、例えば、撮影オーダー情報に指定されている条件等に基づいて撮影環境を検知するように構成することが可能である。
【０１１３】
すなわち、撮影オーダー情報に、例えば、病棟（病室Ｒ１）や患者の自宅等で撮影を行うことや、回診車４０を用いて撮影を行うこと等が指定されている場合には、当該撮影オーダー情報に基づいて行われる撮影は、ポータブルの放射線発生装置を用いて撮影が行われる撮影環境で行われると検知することができる。また、撮影オーダー情報に、例えば、撮影室Ｒａで撮影を行うことや、撮影台７０に装填して撮影を行うこと等が指定されている場合には、当該撮影オーダー情報に基づいて行われる撮影は、撮影室で撮影が行われる撮影環境で行われると検知することができる。
【０１１４】
また、コンソールが、通信を行う相手の機器のＩＤ等に基づいて撮影環境を検知するように構成することも可能である。すなわち、例えば、通信相手が回診車４０のインターフェースユニット５２やアクセスポイント５３（図５参照）、コンソールに取り付けられたアクセスポイント６２ａ（図７参照）等である場合には、撮影環境は、ポータブルの放射線発生装置を用いて撮影が行われる撮影環境であると検知することができる。また、通信相手が中継器７４やアクセスポイント７３（図１０参照）等である場合には、撮影環境は、撮影室で撮影が行われる撮影環境であると検知することができる。
【０１１５】
［効果］
以上のように、本実施形態に係る放射線画像撮影システム１００によれば、コンソール４４、６２、７８が、放射線画像撮影装置が撮影に用いられる撮影環境がポータブルの放射線発生装置を用いて撮影が行われる撮影環境であるか撮影室で撮影が行われる撮影環境であるかを的確に検知し、検知した撮影環境に応じて、放射線画像撮影装置１に、放射線画像撮影装置１の電源のオン／オフ制御の仕方を的確に切り替えさせることが可能となる。
【０１１６】
そのため、放射線画像撮影装置１の電源のオン／オフ制御が、放射線画像撮影装置１が用いられる撮影環境に応じて、各撮影環境に適するオン／オフ制御（すなわち第１のオン／オフ制御或いは第２のオン／オフ制御）に的確かつ自動的に切り替えられ、放射線画像撮影装置１の電源がそれぞれの撮影環境に応じて適切にオン／オフされるようになる。そのため、放射線画像撮影装置１や放射線画像撮影システム１００が放射線技師等の操作者にとって非常に使い勝手が良いものとなる。
【０１１７】
なお、上記の撮影環境の検知の仕方の構成例として、例えば、コンソールの設定画面等で放射線技師等の操作者が撮影環境を入力したり選択したりするように構成して、操作者がコンソールに対して手動で撮影環境を設定するように構成することも可能である。
【０１１８】
また、上記の第２、第３の実施形態において、放射線画像撮影装置が撮影に用いられる撮影環境として、上記のポータブルの放射線発生装置を用いて撮影が行われる撮影環境や撮影室で撮影が行われる撮影環境以外の撮影環境を設定し、その撮影環境において放射線画像撮影装置１の電源を適切にオン／オフさせるための第３のオン／オフ制御（或いは第４以降のオン／オフ制御）の仕方を定めておき、検知された撮影環境に応じて、放射線画像撮影装置１の電源のオン／オフ制御の仕方を適宜切り替えるように構成することも可能である。
【０１１９】
さらに、上記の第２、第３の実施形態において、撮影環境が「ポータブルの放射線発生装置を用いて撮影が行われる撮影環境」である場合と「撮影室で撮影が行われる撮影環境」である場合とで放射線画像撮影装置１の電源のオン／オフ制御を切り替える場合について説明した。
【０１２０】
しかし、撮影環境に応じて電源のオン／オフ制御を切り替える場合、上記のように構成する代わりに、放射線画像撮影装置１の電源のオン／オフ制御を、例えば、（１）撮影室内で撮影が行われる撮影環境と撮影室外で撮影が行われる撮影環境とで切り替えたり、（２）放射線画像撮影装置１を撮影台７０に装填して撮影が行われる撮影環境と放射線画像撮影装置１を撮影台７０に装填せず単独の状態で撮影が行われる撮影環境とで切り替えたり、或いは（３）ポータブルの放射線発生装置４３、６０を用いて撮影が行われる撮影環境と据置型の放射線発生装置７２を用いて撮影が行われる撮影環境とで切り替えるなど、他の条件に基づいて放射線画像撮影装置１の電源のオン／オフ制御を切り替えるように構成することも可能である。
【０１２１】
なお、本発明が上記の各実施形態等に限定されず、本発明の趣旨を逸脱しない限り、適宜変更可能であることは言うまでもない。
【符号の説明】
【０１２２】
１  放射線画像撮影装置
７  放射線検出素子
２２  制御手段（制御手段、検知手段）
２７  コネクター
４０  回診車
４３、６０  ポータブルの放射線発生装置
４４、６２、７８  コンソール
５４  充電装置
６１  クレードル
１００  放射線画像撮影システム
Ｃ  外部コネクター、充電装置のコネクター、クレードルのコネクター
Ｒａ  撮影室
【図１】
0006794637.tif 000002
【図２】
0006794637.tif 000003
【図３】
0006794637.tif 000004
【図４】
0006794637.tif 000005
【図５】
0006794637.tif 000006
【図６】
0006794637.tif 000007
【図７】
0006794637.tif 000008
【図８】
0006794637.tif 000009
【図９】
0006794637.tif 000010
【図１０】
0006794637.tif 000011
【図１１】
0006794637.tif 000012
【図１２】
0006794637.tif 000013